(57)【特許請求の範囲】
【請求項１】
光源ユニットを有する灯具本体と、
第１アームと、
前記光源ユニットの光軸に沿った方向に交差し、前記第１アームの一方端部と前記灯具本体とを連結する第１軸と、
ベース及び前記ベースから延びる第２アームを有し、前記灯具本体を支持する支持部材と、
前記第１軸に沿って配置され、前記第１アームの他方端部と前記第２アームの先端部とを連結する第２軸と、
枠体と
を備え、
前記灯具本体は、前記第１軸の回りに回転可能であり、
前記第１アームは、前記第２軸の回りに回転可能であり、
前記ベースは、環状であり、前記枠体の上縁部に配置され、
前記第２アームは、前記枠体の内壁面に沿って下方に延びており、
前記第２軸は、前記第１軸よりも前記枠体の下縁部に近い位置に配置される、照明器具。
【請求項２】
前記第１軸が前記第１アームの回転に伴って移動し上限に位置するとき、前記第１軸は、前記第２軸よりも前記枠体の前記上縁部に近い位置に配置される、請求項１に記載の照明器具。
【請求項３】
前記第１軸が前記第１アームの回転に伴って移動し上限に位置するとき、前記第１軸の前記枠体の下縁部に対する高さは、前記上縁部の前記下縁部に対する高さと略同一である、請求項１又は請求項２に記載の照明器具。
【請求項４】
前記ベースは、幅狭部及び幅広部を有し、
前記幅狭部の内縁から外縁までの幅は、前記幅広部の内縁から外縁までの幅より狭い、請求項１から請求項３のいずれか１項に記載の照明器具。
【請求項５】
前記第１軸は、前記光軸に対して、前記光軸に直交する方向にずれた位置に配置され、
前記第１軸から前記光軸までの最短距離は、前記第２軸から前記光軸までの最短距離よりも短い、請求項１から請求項４のいずれか１項に記載の照明器具。
【発明の詳細な説明】
【技術分野】
【０００１】
本発明は、照明器具に関する。
【背景技術】
【０００２】
特許文献１に記載された照明器具は、灯具本体と、第１連結部材と、操作部を有する第２連結部材と、第１支軸と、第２支軸と、第３支軸とを備える。第１支軸は、灯具本体に形成され、第１連結部材の一方端から延びる長孔に係合される。そして、第１連結部材は、長孔内の第１支軸の移動に対応して回転する。第２連結部材の一方端は、第２支軸によって灯具本体に回転可能に連結される。第１連結部材の他方端と第２連結部材の他方端とは、第３支軸によって互いに回転可能に連結される。
【０００３】
ユーザーが第２連結部材の操作部を操作することで、第２連結部材が回転する。そして、第１連結部材は第２連結部材に連動して回転する。その結果、灯具本体の向きが変更され、光照射方向が変更される。
【先行技術文献】
【特許文献】
【０００４】
【特許文献１】特開２００９−２３８４５１号公報
【発明の概要】
【発明が解決しようとする課題】
【０００５】
しかしながら、第１連結部材の回転範囲は、第１支軸が移動可能な長孔の長さに制約される。従って、照明器具の光照射方向の設定の自由度が長孔の長さに応じて制限される。
【０００６】
本発明は上記課題に鑑みてなされたものであり、光照射方向の設定の自由度を向上できる照明器具を提供することにある。
【課題を解決するための手段】
【０００７】
本願に開示する照明器具は、灯具本体と、第１アームと、第１軸と、支持部材と、第２軸とを備える。灯具本体は、光源ユニットを有する。第１軸は、前記光源ユニットの光軸に沿った方向に交差し、前記第１アームの一方端部と前記灯具本体とを連結する。支持部材は、ベース及び前記ベースから延びる第２アームを有し、前記灯具本体を支持する。第２軸は、前記第１軸に沿って配置され、前記第１アームの他方端部と前記第２アームの先端部とを連結する。前記灯具本体は、前記第１軸の回りに回転可能である。前記第１アームは、前記第２軸の回りに回転可能である。
【０００８】
本願に開示する照明器具は、枠体をさらに備えることが好ましい。前記ベースは、環状であり、前記枠体の上縁部に配置されることが好ましい。前記第２アームは、前記枠体の内壁面に沿って下方に延びることが好ましい。
【０００９】
本願に開示する照明器具において、前記第２軸は、前記第１軸よりも前記枠体の下縁部に近い位置に配置されることが好ましい。
【００１０】
本願に開示する照明器具において、前記第１軸が前記第１アームの回転に伴って移動し上限に位置するとき、前記第１軸は、前記第２軸よりも前記枠体の前記上縁部に近い位置に配置されることが好ましい。
【００１１】
本願に開示する照明器具において、前記第１軸が前記第１アームの回転に伴って移動し上限に位置するとき、前記第１軸の前記枠体の下縁部に対する高さは、前記上縁部の前記下縁部に対する高さと同一であることが好ましい。
【００１２】
本願に開示する照明器具において、前記ベースは、幅狭部及び幅広部を有することが好ましい。前記幅狭部の内縁から外縁までの幅は、前記幅広部の内縁から外縁までの幅より狭いことが好ましい。
【００１３】
本願に開示する照明器具は、前記枠体の外壁面に沿って配置され、前記枠体を取付位置に固定する複数の取付バネをさらに備えることが好ましい。前記取付バネは、前記枠体の前記上縁部に配置され、前記ベースの上面と下面とを挟む挟持部を有することが好ましい。
【００１４】
本願に開示する照明器具において、前記取付バネの前記挟持部は、前記ベースの前記上面に対向する第１対向部と、前記第１対向部から前記上面に向かって突出する第１突出部と、前記ベースの前記下面に対向する第２対向部と、前記第２対向部から前記下面に向かって突出する第２突出部とを有することが好ましい。
【００１５】
本願に開示する照明器具において、前記第１軸は、前記光軸に対して、前記光軸に直交する方向にずれた位置に配置されることが好ましい。前記第１軸から前記光軸までの最短距離は、前記第２軸から前記光軸までの最短距離よりも短いことが好ましい。
【発明の効果】
【００１６】
本発明によれば、照明器具の光照射方向の設定の自由度を向上できる。
【図面の簡単な説明】
【００１７】
【図１】本発明の実施形態に係る照明器具を示す斜視図である。
【図２】本発明の実施形態に係る照明器具の灯具本体を説明する部分断面図である。
【図３】本発明の実施形態に係る照明器具の内部構造を示す斜視図である。
【図４】本発明の実施形態に係る照明器具の第１軸が上限に位置するときの照明器具を示す斜視図である。
【図５】本発明の実施形態に係る照明器具の第１軸が上限に位置するときの照明器具を示す部分断面図である。
【図６】本発明の実施形態に係る照明器具の第１軸が下限に位置するときの照明器具を示す斜視図である。
【図７】本発明の実施形態に係る照明器具の第１軸が下限に位置するときの照明器具を示す部分断面図である。
【図８】本発明の実施形態に係る照明器具を上方から見たときの平面図である。
【図９】（ａ）本発明の実施形態に係る照明器具の取付バネを示す斜視図である。（ｂ）本発明の実施形態に係る照明器具の取付バネを示す側面図である。
【発明を実施するための形態】
【００１８】
以下、本発明の実施形態について、図面を参照しながら説明する。なお、図中、同一又は相当部分については同一の参照符号を付して説明を繰り返さない。本実施形態において、Ｘ軸、Ｙ軸、及びＺ軸は互いに直交し、Ｘ軸及びＹ軸は水平面に平行であり、Ｚ軸は鉛直線に平行である。本発明の実施形態に係る照明器具における「上」及び「下」は、それぞれ、天井に取り付けられた照明器具の光軸が略鉛直であるときの「上」及び「下」に対応する。
【００１９】
図１〜図３を参照して、本発明の実施形態に係る照明器具１について説明する。図１は、照明器具１を示す斜視図である。図１に示すように、照明器具１は、例えば、ダウンライトであり、天井に埋め込んで取り付けられ、天井から下方を照らす。つまり、照明器具１は直接照明としての機能を有する。照明器具１は、灯具本体１０と、支持部材２０と、枠体５０と、３個の取付バネ６０とを備える。
【００２０】
まず、灯具本体１０について説明する。図２は、灯具本体１０を説明する部分断面図である。なお、図２では、支持部材２０、枠体５０、取付バネ６０、光源ユニット１１、及び天井としてのボードＲＢの断面が示される。図２に示すように、灯具本体１０は、光源ユニット１１とヒートシンク１３とを有する。
【００２１】
光源ユニット１１は、発光素子アレイ１１１、基板１１２、レンズ１１３、及びコップ状のハウジング１１４を含む。ハウジング１１４は平坦部１００を有する。平坦部１００は光源ユニット１１の光軸Ｌ（つまり、照明器具１の光軸Ｌ）に直交する。発光素子アレイ１１１、基板１１２、及びレンズ１１３は、ハウジング１１４に収容される。発光素子アレイ１１１は、複数の発光素子を含み、光を出射する。本実施形態では、発光素子アレイ１１１は、ＬＥＤ（Ｌｉｇｈｔ  Ｅｍｉｔｔｉｎｇ  Ｄｉｏｄｅ）アレイであり、複数のＬＥＤを含む。本実施形態では、発光素子アレイ１１１は、複数のＬＥＤを蛍光体で封止することにより形成されるＣＯＢ（Ｃｈｉｐ  ｏｎ  Ｂｏａｒｄ）タイプである。なお、発光素子アレイ１１１は、ＬＥＤと蛍光体とを１ユニット化してＬＥＤチップを形成し、複数のＬＥＤチップを基板１１２の実装面に載置して基板１１２の導電パターンに電気的に接続するＳＭＤ（Ｓｕｒｆａｃｅ  Ｍｏｕｎｔ  Ｄｅｖｉｃｅ）タイプであってもよい。
【００２２】
発光素子アレイ１１１は基板１１２の実装面に実装される。基板１１２はハウジング１１４の平坦部１００の内面に固定される。レンズ１１３は、発光素子アレイ１１１の光出射面を覆うように配置される。従って、発光素子アレイ１１１の出射した光は、レンズ１１３を通って、光源ユニット１１から出射される。
【００２３】
ヒートシンク１３は、複数のフィンを有し、光源ユニット１１の上部に形成される。ヒートシンク１３は、複数のフィンによって放熱し、発光素子アレイ１１１の温度上昇を抑制する。ヒートシンク１３は、伝熱性の高い材料で形成されており、例えば金属で形成されていることが好ましい。金属の中でも、成形加工の容易性や照明器具１の軽量化を考慮し、例えばアルミニウム又はアルミニウム合金で形成されていることが好ましい。
【００２４】
ハウジング１１４の平坦部１００はヒートシンク１３の底部を構成する。基板１１２はハウジング１１４の平坦部１００の内面に固定されるため、基板１１２の実装面の裏面はヒートシンク１３の底部に接している。従って、発光素子アレイ１１１が発した熱は、基板１１２からヒートシンク１３に伝達され、ヒートシンク１３によって効果的に放散される。その結果、発光素子アレイ１１１の異常な温度上昇を抑制できる。
【００２５】
次に、灯具本体１０の支持構造について説明する。図３は、照明器具１の内部構造を示す斜視図である。図１及び図３に示すように、支持部材２０は、例えば、金属製であり、灯具本体１０を支持する。支持部材２０は、ベース２１を有する。ベース２１は、環状であり、板状である。本実施形態では、ベース２１は、平面視において円環状である。ベース２１は枠体５０の上縁部５３に配置される。ベース２１は、矢印Ａ１の示す方向又は矢印Ａ２の示す方向に、上縁部５３に沿って中心線Ｃの回りに回転する。中心線Ｃは、ベース２１の中心線であり、本実施形態では、枠体５０の中心線と一致する。灯具本体１０は、灯具本体１０の姿勢に応じて、ベース２１に囲まれる。
【００２６】
図１に示すように、枠体５０は、鍔部５１と、枠部５２とを含む。鍔部５１は、枠体５０の下縁部５５に形成される。枠部５２は筒状である。枠体５０は、光源ユニット１１の出射した光が、天井裏に漏れることを抑制する。従って、照明器具１は効果的に照明できる。本実施形態では、枠部５２は円筒状である。灯具本体１０は、灯具本体１０の姿勢に応じて、枠部５２に囲まれる。枠部５２は、外壁面５７及び内壁面５９を有する。内壁面５９は、反射率の高い色彩を有し、又は反射率の高い素材により形成され、光源ユニット１１の出射した光を反射する。従って、照明器具１はさらに効果的に照明できる。本実施形態では、内壁面５９は白色である。
【００２７】
３個の取付バネ６０は、枠体５０の外壁面５７に固定され、枠体５０の外壁面５７に沿って等間隔に配置される。３個の取付バネ６０は、枠体５０を取付位置に固定する。その結果、照明器具１は取付位置に取り付けられる。本実施形態では、取付位置は、天井としてのボードＲＢの任意の位置である。従って、３個の取付バネ６０と鍔部５１とでボードＲＢを挟むことによって、照明器具１は、ボードＲＢに取り付けられる。なお、取付バネ６０の個数及び配置は図１に示す個数及び配置に限定されない。取付バネ６０の個数は３個以外の複数個であってもよいし、複数個の取付バネ６０は等間隔に配置されなくてもよい。
【００２８】
図３に示すように、照明器具１は、一定長さの第１アーム３０と、第１軸３５と、第２軸４５とをさらに備える。また、支持部材２０は、一定長さの第２アーム４０をさらに有する。
【００２９】
第１アーム３０は、例えば、金属製であり、灯具本体１０と第２アーム４０との間に配置される。第１アーム３０の長さは、第２アーム４０の長さと関係なく、任意の長さに設定できる。第１アーム３０の一方端部には第１ジョイント３０ａが形成され、第１アーム３０の他方端部には第２ジョイント３０ｂが形成される。第１ジョイント３０ａ及び第２ジョイント３０ｂの各々の断面は、略Ｕ字状である。第１ジョイント３０ａに対応して、ヒートシンク１３の下端部には、互いに対向する２つの平面を有する第１被連結部１３ａが形成される。
【００３０】
第２アーム４０は、例えば、金属製であり、ベース２１に固定される。第２アーム４０の長さは、第１アーム３０の長さと関係なく、任意の長さに設定できる。第２アーム４０はベース２１から延びている。具体的には、第２アーム４０は、ベース２１から枠体５０の内壁面５９に沿って下方に延びる。第２アーム４０の先端部には、互いに対向する平面を有する第２被連結部４０ａが形成される。
【００３１】
第１軸３５は、光源ユニット１１の光軸Ｌに沿った方向に交差する。本実施形態では、第１軸３５は、光軸Ｌに沿った方向に直交する。第１軸３５は、第１アーム３０の一方端部と灯具本体１０とを連結する。本実施形態では、第１ジョイント３０ａが第１被連結部１３ａを挟む。第１ジョイント３０ａ及び第１被連結部１３ａの各々には貫通孔が設けられる。そして、第１ジョイント３０ａの貫通孔及び第１被連結部１３ａの貫通孔に第１軸３５が挿通されている。
【００３２】
第１軸３５は、第１アーム３０に対して灯具本体１０が回転可能なように、第１ジョイント３０ａと第１被連結部１３ａとを連結する。その結果、灯具本体１０は、第１軸３５の回りに、矢印Ｒ１１の示す方向又は矢印Ｒ１２の示す方向に回転可能である。矢印Ｒ１１の示す方向は、光源ユニット１１が第２軸４５に近づく方向であり、矢印Ｒ１２の示す方向は、光源ユニット１１が第２軸４５から離れる方向である。
【００３３】
第１軸３５は、灯具本体１０が回転可能でかつ灯具本体１０の姿勢を保持できる程度の締付力によって、第１ジョイント３０ａ及び／又は第１被連結部１３ａによって締付けられている。従って、灯具本体１０は、第１軸３５の回りの回転の停止により、停止したときの姿勢で第１アーム３０に対して静止する。本実施形態では、灯具本体１０は、作業者によって、第１軸３５の回りに回転させることができる。なお、本実施形態では、第１軸３５は、第１アーム３０及び灯具本体１０に対して相対的に第１軸３５に交差する方向に移動不能である。
【００３４】
第２軸４５は、第１軸３５に沿って配置される。本実施形態では、第１軸３５の軸線と第２軸４５の軸線とが略平行である。第２軸４５は、第１アーム３０の他方端部と第２アーム４０の先端部とを連結する。本実施形態では、第２ジョイント３０ｂが第２被連結部４０ａを挟む。第２ジョイント３０ｂ及び第２被連結部４０ａの各々には貫通孔が設けられる。そして、第２ジョイント３０ｂの貫通孔及び第２被連結部４０ａの貫通孔に第２軸４５が挿通されている。
【００３５】
第２軸４５は、第２アーム４０に対して第１アーム３０が回転可能なように、第２ジョイント３０ｂと第２被連結部４０ａとを連結する。その結果、第１アーム３０は、第２軸４５の回りに、矢印Ｒ２１の示す方向又は矢印Ｒ２２の示す方向に回転可能である。第２軸４５は、第１アーム３０が回転可能でかつ灯具本体１０の姿勢を保持できる程度の締付力によって、第２ジョイント３０ｂ及び／又は第２被連結部４０ａによって締付けられている。
【００３６】
灯具本体１０は、第１アーム３０に連結されているため、第１アーム３０と共に、第２軸４５の回りに、矢印Ｒ２１の示す方向又は矢印Ｒ２２の示す方向に回転可能である。矢印Ｒ２１の示す方向は、灯具本体１０が枠体５０の内部から外部に向かう方向であり、矢印Ｒ２２の示す方向は、灯具本体１０が枠体５０の外部から内部に向かう方向である。灯具本体１０は、第２軸４５の回りの回転の停止により、停止したときの姿勢で第２アーム４０に対して静止する。本実施形態では、灯具本体１０は、手によって、第２軸４５の回りに回転させることができる。
【００３７】
図２を参照して、第１軸３５と第２軸４５と発光素子アレイ１１１との位置関係について説明する。第１軸３５は、発光素子アレイ１１１よりも、灯具本体１０の径方向外側に配置される。第１軸３５が第１アーム３０の回転に伴って移動し上限に位置するとき、灯具本体１０の下縁部に対する第１軸３５の高さは、灯具本体１０の下縁部に対する発光素子アレイ１１１の高さよりも高い。なお、図２では、第１軸３５は上限近傍に位置している。第１軸３５と発光素子アレイ１１１との間の距離は、灯具本体１０の姿勢に依存することなく一定である。
【００３８】
第２軸４５は、発光素子アレイ１１１よりも、灯具本体１０の径方向外側に配置される。第２軸４５は、第１軸３５よりも、灯具本体１０の径方向外側に配置される。第２軸４５と発光素子アレイ１１１との間の距離は、灯具本体１０の姿勢に依存して変動する。
【００３９】
以上、図１〜図３を参照して説明したように、本実施形態によれば、作業者は、灯具本体１０を第１軸３５及び第２軸４５の回りに回転させて、灯具本体１０の姿勢を調整して、光軸Ｌの向きを変更し、光照射方向を設定できる。灯具本体１０は、第１軸３５及び第２軸４５のそれぞれの回りに回転可能である。つまり、第１軸３５の回りの回転は第２軸４５の回りの回転に拘束されないし、第２軸４５の回りの回転は第１軸３５の回りの回転に拘束されない。従って、灯具本体１０の姿勢の調整の自由度を向上できる。その結果、灯具本体１０の光照射方向の設定の自由度を向上できる。
【００４０】
また、本実施形態によれば、ベース２１は上縁部５３に沿って矢印Ａ１又は矢印Ａ２に示す方向に回転可能である。そして、ベース２１には、第２アーム４０が固定され、第２アーム４０には第１アーム３０が連結され、第１アーム３０には灯具本体１０が連結される。従って、ベース２１の回転に伴って、灯具本体１０も矢印Ａ１又は矢印Ａ２に示す方向に回転する。その結果、灯具本体１０の光照射方向の設定の自由度がさらに向上する。
【００４１】
さらに、本実施形態によれば、第２アーム４０の姿勢及び長さは、特に限定されず、第２アーム４０を所望の姿勢又は長さに設定することによって、第２軸４５を所望の位置に配置できる。従って、灯具本体１０の取り得る姿勢がベース２１及び枠体５０によって制約を受ける環境においても、灯具本体１０の姿勢の調整の自由度がさらに向上するように、第２軸４５を配置できる。その結果、灯具本体１０の光照射方向の設定の自由度がさらに向上する。
【００４２】
次に、図４及び図５を参照して第１軸３５及び第２軸４５の詳細について説明する。図４及び図５は、それぞれ、第１軸３５が上限に位置するときの照明器具１を示す斜視図及び部分断面図である。なお、図５では、支持部材２０、枠体５０、取付バネ６０、及び天井としてのボードＲＢの断面が示される。
【００４３】
図４及び図５に示すように、第１アーム３０が、第２軸４５の回りに、矢印Ｒ２２の示す方向に最大限回転したときに、第１軸３５は上限に位置する。第１軸３５が第１アーム３０の回転に伴って移動し上限に位置するとき、第１軸３５は、第２軸４５よりも枠体５０の上縁部５３に近い位置に配置される。本実施形態では、上限に位置するときの第１軸３５は上縁部５３の近傍に配置される。つまり、第１軸３５が第１アーム３０の回転に伴って移動し上限に位置するとき、第１軸３５の下縁部５５に対する高さは、上縁部５３の下縁部５５に対する高さと略同一である。
【００４４】
また、第１軸３５は、光軸Ｌに対して、光軸Ｌに直交する方向にずれた位置に配置される。本実施形態では、光軸Ｌに直交する方向は、灯具本体１０の径方向である。第１軸３５から光軸Ｌまでの最短距離Ｄ１は、灯具本体１０及び／又は第１軸３５が変位したとしても一定であり、第１軸３５の位置に依存しないし、灯具本体１０の第１軸３５の回りの回転及び第２軸４５の回りの回転に依存しない。一方、第２軸４５から光軸Ｌまでの最短距離Ｄ２は、灯具本体１０の第２軸４５の回りの回転には依存しないが、灯具本体１０の第１軸３５の回りの回転に依存して変動する。ただし、第１軸３５から光軸Ｌまでの最短距離Ｄ１は、第１軸３５の位置並びに灯具本体１０の第１軸３５の回りの回転及び第２軸４５の回りの回転に関係なく、第２軸４５から光軸Ｌまでの最短距離Ｄ２よりも短い。
【００４５】
また、第２軸４５は、第１軸３５よりも枠体５０の下縁部５５に近い位置に配置される。本実施形態では、第２軸４５は、枠体５０の内部において、下縁部５５の近傍に配置される。
【００４６】
以上、図４及び図５を参照して説明したように、本実施形態によれば、上限に位置するときの第１軸３５が上縁部５３に近い位置に配置されるため、矢印Ｒ１２の示す方向への灯具本体１０の回転は、ベース２１及び枠体５０によって規制され難い。その結果、灯具本体１０の姿勢の調整の自由度がさらに向上し、ひいては、灯具本体１０の光照射方向の設定の自由度をさらに向上できる。
【００４７】
また、本実施形態によれば、第１軸３５は光軸Ｌに対して灯具本体１０の径方向にずれた位置に配置され、第１軸３５から光軸Ｌまでの最短距離Ｄ１は、第２軸４５から光軸Ｌまでの最短距離Ｄ２よりも短い。従って、第１軸３５は光軸Ｌよりも灯具本体１０の径方向外側に配置され、第２軸４５は光軸Ｌに対して灯具本体１０及び第１軸３５よりも灯具本体１０の径方向外側に配置される。その結果、矢印Ｒ２１の示す方向への灯具本体１０の回転が、枠体５０によって規制され難く、灯具本体１０の光照射方向の設定の自由度をさらに向上できる。
【００４８】
さらに、本実施形態によれば、第２軸４５は下縁部５５に近い位置に配置される。従って、灯具本体１０を矢印Ｒ２１の示す方向に回転させることによって、灯具本体１０を枠体５０の外部に配置することができる（後述する図６及び図７）。そして、枠体５０の外部に配置された灯具本体１０を矢印Ａ１若しくは矢印Ａ２、及び矢印Ｒ１１に示す方向に回転させることによって、建造物の壁に向けて光を照射できる。従って、照明器具１は、直接照明だけでなく、発光素子アレイ１１１から照射された光を壁に反射させて光を任意の方向に照射する間接照明としての機能を有する。
【００４９】
次に、図４及び図５を参照して、灯具本体１０の回転角度αについて説明する。回転角度αは、灯具本体１０が第１軸３５の回りに回転するときの灯具本体１０の回転角度であり、鉛直線Ｂに対する光軸Ｌの傾斜角度によって表される。回転角度αは、第１軸３５の位置に依存しない。灯具本体１０が矢印Ｒ１２の示す方向に最大限回転したときに、回転角度αは最大値になり、灯具本体１０が矢印Ｒ１１の示す方向に最大限回転したときに、回転角度αは最小値（約０度）になる。図５に示す回転角度αは、本実施形態の照明器具１における最大値である。本実施形態では、回転角度αの最大値は、約２０度である。ただし、回転角度αの最大値は、２０度に限定されず、２０度未満であってもよいし、２０度より大きくてもよい。
【００５０】
本実施形態によれば、回転角度αの最大値は特に制限されず任意の値に設定できる。従って、回転角度αの最大値を所望の値に設定することによって、矢印Ｒ１２の示す方向への灯具本体１０の回転を規制できる。その結果、光源ユニット１１の出射した光が天井裏に漏れることを抑制できる。なお、例えば、回転角度αの最大値が設定されず、灯具本体１０の照射エリアが枠体５０の上縁部５３よりも上側（天井裏側）に拡がる位置まで灯具本体１０を回転させると、光源ユニット１１の出射した光が天井裏に漏れる場合がある。
【００５１】
次に、図６及び図７を参照して、灯具本体１０の回転角度βについて説明する。図６及び図７は、それぞれ、第１軸３５が下限に位置するときの照明器具１を示す斜視図及び部分断面図である。なお、図７では、支持部材２０、枠体５０、取付バネ６０、及びボードＲＢの断面が示される。
【００５２】
第１アーム３０が、第２軸４５の回りに、矢印Ｒ２１の示す方向に最大限回転したときに、第１軸３５は下限に位置する。下限に位置するときの第１軸３５は、第２軸４５よりも下方に配置される。本実施形態では、下限に位置するときの第１軸３５は下縁部５５よりも下方に配置される。
【００５３】
回転角度βは、灯具本体１０が第２軸４５の回りに回転するときの灯具本体１０の回転角度であり、鉛直線Ｂに対する光軸Ｌの傾斜角度によって表される。灯具本体１０が矢印Ｒ２１の示す方向に最大限回転したときに、回転角度βは最大値になり、灯具本体１０が矢印Ｒ２２の示す方向に最大限回転したときに、回転角度βは最小値（約０度）になる。本実施形態では、回転角度βの最大値は、約８５度である。ただし、回転角度βの最大値は、８５度に限定されず、８５度未満であってもよいし、８５度より大きくてもよい。
【００５４】
本実施形態によれば、回転角度βの最大値は特に制限されず任意の値に設定できる。従って、回転角度βの最大値を所望の値に設定することによって、矢印Ｒ２１の示す方向への灯具本体１０の回転を規制できる。その結果、灯具本体１０を枠体５０の外部に配置する際に、天井としてのボードＲＢから離れすぎない位置に灯具本体１０を配置でき、美観を向上できる。
【００５５】
次に、図５及び図７を参照して、照明器具１のボードＲＢへの取付けについて説明する。３個の取付バネ６０が枠体５０を天井としてのボードＲＢに固定することによって、照明器具１は、ボードＲＢに取り付けられる。具体的には、ボードＲＢには、枠部５２の形状に対応して円状の開口ＲＨが形成される。開口ＲＨの直径は、枠部５２の直径よりも大きく、鍔部５１の直径よりも小さい。照明器具１は、鍔部５１がボードＲＢに当接するまで開口ＲＨに挿入される。そして、ボードＲＢは、各取付バネ６０の弾性力によって、３個の取付バネ６０と鍔部５１とで強く挟まれる。従って、枠体５０がボードＲＢに固定される。その結果、照明器具１がボードＲＢに取り付けられる。
【００５６】
次に、図８を参照してベース２１の詳細について説明する。図８は、照明器具１を上方から見たときの平面図である。ベース２１は、幅狭部２１ａ及び幅広部２１ｂを有する。本実施形態では、ベース２１は２つの幅広部２１ｂを有する。幅狭部２１ａの内縁Ｅ１から外縁Ｅ２までの幅Ｗ１は、幅広部２１ｂの内縁Ｅ３から外縁Ｅ４までの幅Ｗ２より狭い。幅狭部２１ａは、上限に位置するときの第１軸３５に対向し、湾曲した帯状である。一方の幅広部２１ｂは、上限に位置するときの第１軸３５の近傍から幅狭部２１ａの一方端に向かって延び、湾曲した帯状である。他方の幅広部２１ｂは、上限に位置するときの第１軸３５の近傍から幅狭部２１ａの他方端に向かって延び、湾曲した帯状である。
【００５７】
本実施形態によれば、ベース２１が幅狭部２１ａを有する。従って、矢印Ｒ２１又は矢印Ｒ２２に示す方向への灯具本体１０の回転が、ベース２１に規制され難い。その結果、灯具本体１０の光照射方向の設定の自由度がさらに向上する。また、ベース２１が幅広部２１ｂを有する。従って、光源ユニット１１が出射し上方へ進行する光は、幅広部２１ｂによって下方へ反射される。その結果、光源ユニット１１の出射した光が天井裏へ漏れることを抑制できる。
【００５８】
次に、図９を参照して取付バネ６０の詳細について説明する。図９（ａ）は、取付バネ６０を示す斜視図である。図９（ｂ）は、取付バネ６０を示す側面図である。取付バネ６０は挟持部６５を有する。挟持部６５は枠体５０の上縁部５３に配置される。取付バネ６０は、挟持部６５から外壁面５７に沿って下方に延び、鍔部５１の近傍で斜め上方に向かって略Ｖ字状に屈曲し、さらに上方に凸状に湾曲する。
【００５９】
挟持部６５は、ベース２１の上面と下面とを挟む。つまり、取付バネ６０の挟持部６５は、ベース２１が矢印Ａ１又は矢印Ａ２の示す方向に回転可能なようにベース２１を支持する。
【００６０】
挟持部６５は、第１対向部６６と、２個の第２対向部６７と、第１突出部６８と、第２突出部６９とを有する。第１対向部６６は、ベース２１の上面に対向する。各第２対向部６７は、ベース２１の下面に対向する。第１突出部６８は、第１対向部６６からベース２１の上面に向かって突出する。第１突出部６８は、ドーム状であり、第１突出部６８の頂点がベース２１の上面に当接する。第２突出部６９は、第２対向部６７からベース２１の下面に向かって突出する。第２突出部６９は、ドーム状であり、第２突出部６９の頂点がベース２１の下面に当接する。なお、第１突出部６８の頂点とベース２１の上面との間に隙間を設けてもよく、第２突出部６９の頂点とベース２１の下面との間に隙間を設けてもよい。
【００６１】
本実施形態によれば、３つの挟持部６５は回転可能にベース２１を支持する。従って、ベース２１を回転可能に支持するための専用部材を追加することなく、取付バネ６０の構造を変更するだけで、ベース２１を回転可能に支持できる。その結果、部品点数及びコストを削減できる。
【００６２】
また、本実施形態によれば、第１突出部６８がベース２１の上面に当接し、第２突出部６９がベース２１の下面に当接することによって、ベース２１が挟持部６５によって回転可能に支持される。従って、挟持部６５とベース２１との接触面積は小さくなる。その結果、ベース２１が回転する際のベース２１への負荷が抑制され、ベース２１を円滑に回転させることができる。
【００６３】
以上、図１〜図９を参照して説明したように、本実施形態によれば、灯具本体１０は第１軸３５及び第２軸４５の回りに回転可能である。従って、灯具本体１０の光照射方向の設定の自由度を向上できる。例えば、灯具本体１０を枠体５０の内部に配置して、灯具本体１０を第１軸３５の回りに回転させることによって、天井としてのボードＲＢから灯具本体１０を突出させることなく、照明方向を変更できる。例えば、灯具本体１０を第２軸４５の回りに回転させることによって、灯具本体１０を枠体５０の内部に配置することもできるし、灯具本体１０を枠体５０の外部に配置することもできる。
【００６４】
以上、図面を参照しながら本発明の実施形態について説明した。但し、本発明は、上記の実施形態に限られるものではなく、その要旨を逸脱しない範囲で種々の態様において実施することが可能である（例えば、下記に示す（１）〜（５））。図面は、理解しやすくするために、それぞれの構成要素を主体に模式的に示しており、図示された各構成要素の厚み、長さ、個数等は、図面作成の都合上から実際とは異なる場合もある。また、上記の実施形態で示す各構成要素の形状、寸法等は一例であって、特に限定されるものではなく、本発明の効果から実質的に逸脱しない範囲で種々の変更が可能である。
【００６５】
（１）本発明は、図１に示すような埋込型の照明器具１に限定されず、例えば、吊下げ型の照明器具に適用することもできる。
【００６６】
（２）図１を参照して説明したように、照明器具１のベース２１と枠体５０とは別部材であったが、一体に形成されてもよい。ベース２１は、固定されて回転不能でもよい。ベース２１を設けずに、枠体５０に第２アーム４０を形成してもよい。この場合、枠体５０が支持部材２０として機能する。例えば、枠体５０の上縁部５３から下方に延びるように、第２アーム４０を形成する。ベース２１は、平面視において多角環状でもよい。枠体５０は多角筒状でもよい。光源ユニット１１のハウジング１１４は多角筒状でもよい。
【００６７】
（３）図３を参照して説明したように、第２アーム４０を設けたが、第２アーム４０を設けなくてもよい。この場合、第２軸４５は、ベース２１と第１アーム３０とを連結する。第１アーム３０及び第２アーム４０の形状、長さ、及び配置は、図３に示される形状、長さ、及び配置に限定されず、任意に設定され得る。
【００６８】
（４）図９（ａ）を参照して説明したように、取付バネ６０は、２個の第２対向部６７を有した。ただし、第２対向部６７の数は、２個に限定されず、１個又は３個以上でもよい。
【００６９】
（５）図９（ａ）及び図９（ｂ）に示す取付バネ６０は、本発明のバリエーションの１つである。取付バネ６０が取付位置に照明器具１を取り付けることができる限り、取付バネ６０の形状は、図９に示す形状に限定されない。
【産業上の利用可能性】
【００７０】
本発明は、照明器具の分野に利用可能である。
【符号の説明】
【００７１】
１      照明器具
１０    灯具本体
１１    光源ユニット
２０    支持部材
２１    ベース
２１ａ    幅狭部
２１ｂ    幅広部
３０    第１アーム
３５    第１軸
４０    第２アーム
４５    第２軸
５０    枠体
５３    上縁部
５５    下縁部
５７    外壁面
５９    内壁面
６０    取付バネ
６５    挟持部
６６    第１対向部
６７    第２対向部
６８    第１突出部
６９    第２突出部
Ｄ１    最短距離
Ｄ２    最短距離
Ｌ    光軸
ＲＢ    ボード
【図１】
0006393942.tif 000002
【図２】
0006393942.tif 000003
【図３】
0006393942.tif 000004
【図４】
0006393942.tif 000005
【図５】
0006393942.tif 000006
【図６】
0006393942.tif 000007
【図７】
0006393942.tif 000008
【図８】
0006393942.tif 000009
【図９】
0006393942.tif 000010